(57)【要約】【課題】測定中の被測定者の動きによってこの更なる測定装置の測定結果に生じるエラーを容易に検出可能な複合測定デバイスを提供する。【解決手段】データ取得・処理ユニット１００が、事前に又は測定期間の開始時に、体重計の測定信号から重量測定結果を判定し、測定期間中にこの重量測定結果に対する体重計の測定信号の偏差を監視し、この偏差が所定の第一閾値を超えた場合に、前述の更なる身体パラメータの測定結果の信頼性を調べる際に用いる、被測定者が動いた可能性があることを示す疑いメッセージを生成するように構成する。【選択図】図１
2017086897.tif 000002
【特許請求の範囲】
【請求項１】
被測定者の体重及び更なる身体パラメータを測定するための複合測定デバイスであって、
少なくとも１つのロードセル（ＷＺ１，ＷＺ２，ＷＺ３，ＷＺ４）に対して作用する台（１）を有する体重計と、
前記更なる身体パラメータを測定するための測定装置と、
前記体重計及び前記測定装置の測定処理を制御するようになっており、測定期間中に前記台にかかる重量を示す測定信号を時間の関数として前記体重計から取得し、前記信号を処理し、測定結果を出力するように構成されたデータ取得・処理ユニット（１００）と
を具備する複合測定デバイスにおいて、
前記データ取得・処理ユニット（１００）が、事前に又は前記測定期間の開始時に、前記体重計の測定信号から重量測定結果を判定し、前記測定期間中に前記重量測定結果に対する前記体重計の測定信号の偏差を監視し、前記偏差が所定の第一閾値を超えた場合に、前記更なる身体パラメータの測定結果の信頼性を調べる際に用いる、前記被測定者が動いた可能性があることを示す動き疑いメッセージを生成するように構成されている
ことを特徴とする複合測定デバイス。
【請求項２】
加速度センサが前記台に接続され、
前記データ取得・処理ユニット（１００）が、前記加速度センサの信号が第一加速度閾値を超えた場合に、前記被測定者が動いた可能性があることを示す疑いメッセージを生成するように構成されている
ことを特徴とする請求項１に記載の複合測定デバイス。
【請求項３】
前記データ取得・処理ユニット（１００）が、所定の整合性基準について前記測定期間における前記測定装置の測定結果を確認し、ある整合性基準について違反があり、且つ、動き疑いメッセージがある場合は、前記測定装置の測定を誤測定として破棄し、前記被測定者が動いた疑いがあるというメッセージを示す出力を生成するように構成されている
ことを特徴とする請求項１又は２に記載の複合測定デバイス。
【請求項４】
前記データ取得・処理ユニット（１００）が、前記重量測定結果に対する前記体重計の測定信号の偏差が前記第一閾値よりも高い所定の第二閾値を超えた場合に、前記被測定者が動いたことを示すエラーメッセージを生成するように構成されている
ことを特徴とする請求項１〜３のいずれか一項に記載の複合測定デバイス。
【請求項５】
前記データ取得・処理ユニット（１００）が、前記加速度センサの信号が、前記第一加速度閾値よりも高い所定の第二加速度閾値を超えた場合に、前記被測定者が動いたことを示すエラーメッセージを生成するように構成されている
ことを特徴とする請求項２又は３に記載の複合測定デバイス。
【請求項６】
前記データ取得・処理ユニット（１００）が、動きエラーメッセージがある場合に、前記測定装置の測定期間を終了させ、前記動きエラーメッセージを示す出力を生成するように構成されている
ことを特徴とする請求項４又は５に記載の複合測定デバイス。
【請求項７】
前記データ取得・処理ユニット（１００）が、動きエラーメッセージがあり、且つ、それを示す出力が生成されている場合、前記更なる身体パラメータを測定するために前記測定装置の新たな測定期間を開始するように構成されている
ことを特徴とする請求項４又は５に記載の複合測定デバイス。
【請求項８】
複数のロードセル（ＷＺ１，ＷＺ２，ＷＺ３，ＷＺ４）が設けられており、
前記データ取得・処理ユニット（１００）が、前記ロードセルの測定信号の総和に加えて、ロードセル重量測定結果をロードセル毎に個別に取得し、前記測定期間中に、各ロードセルの前記ロードセル重量測定結果に対するロードセル測定信号の偏差を監視し、１つのロードセルついての偏差が所定の閾値を超えた場合に、前記被測定者が動いたことを示すエラーメッセージを生成するように構成されている
ことを特徴とする請求項１〜７のいずれか一項に記載の複合測定デバイス。
【請求項９】
前記データ取得・処理ユニット（１００）が、個々の前記ロードセルのロードセル測定結果と測定信号との差分をそれぞれ求め、いずれかの差分が所定の差分閾値を超えた場合に、前記更なる身体パラメータの測定結果の信頼性を調べる際に用いる、前記被測定者が不適切な位置取りをしていることを示す不適切位置取り疑いメッセージを生成するように構成されている
ことを特徴とする請求項８に記載の複合測定デバイス。
【請求項１０】
前記データ取得・処理ユニット（１００）が、所定の整合性基準について前記測定期間における前記測定装置の測定結果を確認し、ある整合性基準について違反があり、不適切位置取り疑いメッセージがある場合は、前記測定装置の測定を破棄し、前記誤測定を示す出力を生成し、前記不適切位置取り疑いメッセージを示す出力を生成するように構成されている
ことを特徴とする請求項９に記載の複合測定デバイス。
【発明の詳細な説明】
【技術分野】
【０００１】
本発明は、被測定者の体重及び少なくとも１つの更なる身体パラメータを測定するための複合測定デバイスであって、少なくとも１つのロードセルに対して作用する台を有する体重計と、更なる身体パラメータを測定するための測定装置と、体重計及び測定装置の測定処理を制御し、測定期間中に台にかかる重量を示す体重計の測定信号を時間の関数として取得し、測定期間中に測定装置の測定信号を取得し、これらの測定信号を処理し、測定結果を出力するようになっているデータ取得・処理ユニットとを具備する複合測定デバイスに関する。
【背景技術】
【０００２】
体重計に加えて、被測定者の１つ以上の更なる身体パラメータを測定するための測定装置を具備する複合測定装置が多く存在する。代表的な例として、体重計と、人間の身体及び個々の体の部位のインピーダンスを測定可能な生体電気インピーダンス測定装置とを具備する身体組成パラメータを判定するためのデバイス（体組成分析器）が挙げられる。人体の導電率は、水分含有量に大きく影響を受ける。筋肉や体液といった脂肪を含まない体の部分は、体内の水分の大部分を占める。一方、脂肪は、その疎水性から、非常に少量の水分しか含んでいない。このため、体の導電率（又は逆に抵抗やインピーダンス）を判定することで、脂肪の相対量を導き出すことができる。被測定者の体重を同時に測定することによって、被測定者の体の脂肪量及び除脂肪量、並びに水分量などの更なる身体組成パラメータを判定することができる。
【０００３】
生体インピーダンス分析によって身体組成パラメータを判定するようになっているこの種のデバイスの例が、特許文献１に記載されている。このような身体組成パラメータ判定用の複合測定デバイスを、図２に概略的に示す。このデバイスは、床の上方に支持された計量台を有し、この台が、その下に配置された各ロードセルに対して作用する。ロードセルにより、台１に作用する重量の力を判定することができる。台には、４つの足用電極２があり、被測定者は、それぞれの足を２つの電極に載せる。更に、４つの手用電極６がハンドレールに設けられている。被験者は、それぞれの手が２つの手用電極に接触するように、電極を手で握る必要がある。そして、別々の手足に接触している２つの電極を介して交流電流を印加し、同様に別々の手足に接触している他の２つの電極において電圧を測定する。他の対の電流印加電極及び電圧測定電極に移行することによって、異なる測定プログラムを連続的に実行することができ、様々な体の部位のインピーダンスを調べることができる。体重計及び電極は、測定信号を分析し且つ測定結果を出力するデータ取得・処理ユニット１００に、配線を介して接続されている。
【０００４】
このような体重計と生体インピーダンス測定用の測定装置とを備える複合測定デバイスでは、生体インピーダンス測定用の測定プログラムの実行中に、被測定者が動かないことが重要である。これは、動くことによって、インピーダンスの誤測定が起こり得るからである。
【０００５】
図１は、別の複合測定デバイスを概略的に示している。このデバイスは、体重計に加えて、身長を測定するための装置を具備している。体重計は、台１を有し、その下側に設けられた４つのロードセルＷＺ１〜ＷＺ４が概略的に示されている。身長を測定するための測定装置は、垂直支持部を備え、その上端には水平バーが取り付けられている。水平バー内には、超音波トランスデューサが、水平バーの垂直支持部とは反対側の端部に配設されている。超音波トランスデューサは、励起された際に、放射された超音波が体重計の台に立つ被測定者の頭頂部に向かうように配設されている。体重計及び超音波トランスデューサは、測定信号を分析するデータ取得・処理ユニット１００に、配線を介して接続されている。データ取得・処理ユニット１００は、超音波トランスデューサを利用して、被測定者の頭頂部で反射した超音波の飛行時間測定を行うようになっている。データ取得・処理ユニット１００は、この飛行時間から、頭頂部までの距離を推測し、既知である水平バーの垂直位置に基づき、この距離から被測定者の身長を推定し、体重計の測定結果と共に出力する。このような複合測定デバイスでも、正確且つ信頼性の高い身長測定を実現ために、身長を測定する測定期間中に被測定者が動かないことが重要である。
【０００６】
体重計に加えて更なる測定装置を具備する複合測定デバイスは、他にも数多く存在する。体重計と組み合わされる更なる測定装置として、例えば、血圧測定デバイスが挙げられる。また、体重計と組み合わせて利用可能な更に別の測定装置として、被測定者の体表面を判定する光学身体スキャン用のデバイスも挙げられる。このような光学身体スキャン用デバイスとして、例えば、レーザースキャナやステレオカメラシステム、ＴＯＦカメラが挙げられる。複合測定デバイスにおいて、体重計を、異なる身体組成パラメータを測定するための複数の測定装置と組み合わせることも可能である。
【先行技術文献】
【特許文献】
【０００７】
【特許文献１】独国特許出願公開第１０  ２０１０  ０２３  １２２  号明細書
【発明の概要】
【発明が解決しようとする課題】
【０００８】
このような複合測定デバイスのほぼ全てにおいて、１つ又は複数の更なる身体パラメータを判定するためのデータを取得するのに必要な測定期間中に患者が動いてしまうと、その更なる身体パラメータの測定値に測定エラーが生じる虞がある。被測定者の動きを確認したとしても、それは間接的であり、確実なものではない。例えば、１つ又は複数の更なる身体パラメータの測定値が不安定であり、有効範囲外にある場合、誤測定を示しているかもしれないが、被測定者の動きの他にも、潜在的誤差の原因となるものは多くある。そのため、誤測定を示すメッセージが出力されても、被測定者は、エラーの原因に関するフィードバックは得られない。
【０００９】
本発明は、体重計と、更なる身体パラメータを測定するための測定装置とを備える複合測定デバイスであって、測定中の被測定者の動きによってこの更なる測定装置の測定結果に生じるエラーを容易に検出可能な複合測定デバイスを構成することを目的とする。
【課題を解決するための手段】
【００１０】
この目的を達成するために、請求項１の特徴を備える複合測定デバイスが提供される。本発明の好適な実施形態は、従属請求項に記載されている。
【００１１】
本発明によれば、データ取得・処理ユニットは、測定装置の測定期間の開始前又は測定期間の開始時に重量測定結果を判定し、その後の測定期間中に、最初に判定した重量測定結果に対する体重計の現在の測定信号の偏差を監視する。この偏差が所定の第一閾値を超えた場合に、更なる身体パラメータの測定結果の信頼性を評価する際に利用する、被測定者が動いた可能性があることを示す疑いメッセージを生成するように設定されている。
【００１２】
本発明によれば、複合測定デバイスは、データ取得・処理ユニットを用いて、重量測定結果の判定後であっても、体重計の少なくとも１つのロードセルの測定信号を利用するように構成されている。これにより、前述の更なる身体パラメータを測定するための測定装置のその後の測定期間中において、被測定者が動いた可能性を検出し、そのような情報を前述の更なる身体パラメータの測定の信頼性の評価に含めることができる。
【００１３】
原理的には、体重計を備える従来の複合測定デバイスも、ソフトウェアやハードウェアを更新することによって、本発明に係るデータ取得・処理ユニットを利用する複合測定デバイスの機能を実行できるようになる。
【００１４】
好適な実施形態では、データ取得・処理ユニットは、所定の整合性基準について測定期間における測定装置の測定結果を確認するようになっている。このような整合性の確認は、例えば、国際特許公報ＷＯ２０１４／１１７７５８  Ａ１において生体インピーダンス測定について記載されている。ある整合性基準について違反があり、且つ、動き疑いメッセージもある場合は、測定装置の測定を誤測定として却下し、被測定者が動いた疑いのメッセージを示す出力を生成する。これにより、被測定者は、前述の更なる身体パラメータの測定にエラーが生じたと通知される。この動きがあったことを示す追加的な出力によって、測定エラーの考えられる原因が被測定者に通知されるため、被測定者は、次回の測定期間中に動かないように集中するようになる。
【００１５】
好適な実施形態では、加速度センサが台に接続され、データ取得・処理ユニットは、この加速度センサの信号が第一加速度閾値を超えた場合に、被測定者が動いた可能性があることを示す疑いメッセージを生成するように構成されている。
【００１６】
好適な実施形態では、データ取得・処理ユニットは、測定期間中に重量測定結果に対する体重計の測定信号の偏差が第一閾値よりも高い所定の第二閾値を超えた場合に、被測定者が動いたことを示すエラーメッセージを生成するように構成されている。このより高い第二閾値を超えた場合は、被測定者が測定装置の測定に干渉する動きをした可能性が高いと結論付けることができる。
【００１７】
代替の構成として、又は上記構成に加えて、データ取得・処理ユニットは、加速度センサの信号が、第一加速度閾値よりも高い所定の第二加速度閾値を超えた場合に、被測定者が動いたことを示すエラーメッセージを生成するように構成されている。
【００１８】
好適な実施形態では、データ取得・処理ユニットは、動きエラーメッセージがある場合に、測定装置の測定期間を終了させ、この動きエラーメッセージを示す出力を生成するようになっている。動きエラーメッセージがある場合、前述したように、高い確率で、被測定者が測定に悪影響を与えるような動きをしたとみなすことができる。この場合、測定を即座に終了させ、被測定者に動きによるエラーを知らせることができる。
【００１９】
この場合、データ取得・処理ユニットは、更に、動きエラーメッセージがあり、且つ、その動きによるエラーを示す出力が生成されている場合、前述の更なる身体パラメータを測定するために測定装置の新たな測定期間を開始するように構成されていてもよい。
【００２０】
好適な実施形態では、台の下方に複数のロードセルが設けられている。データ取得・処理ユニットは、まず、複数のロードセルの測定信号の総和に加えて、ロードセル重量測定結果をロードセル毎に個別に取得し、測定期間中に、各ロードセルのロードセル重量測定結果に対する対応するロードセル測定信号の偏差を監視し、偏差の監視の結果、１つのロードセルついての偏差が所定の閾値を超えた場合に、被測定者が動いたことを示すエラーメッセージを生成するようになっている。動きの種類には、例えば体重移動といった、ロードセル重量測定結果の総和に影響しないものがある（体重移動中でも、全体の重量測定結果は変化しない）。このため、個々のロードセルを別個に監視することで、動きの検出感度を上がる。
【００２１】
複数のロードセルを備える実施形態では、データ取得・処理ユニットは、更に、個々のロードセル間のロードセル測定結果の差分を求め、いずれかの差分が所定の差分閾値を超えた場合に、被測定者が不適切な位置取りをしていることを示す不適切位置取り疑いメッセージを生成するように構成されていることが好ましい。これは、例えば、被測定者が体重計の台に斜めに向いて立っている場合や、台の横方向一方側に偏って立っている場合が該当する。このような不適切な位置取りの結果、前述の更なる身体パラメータの測定装置による測定も、この不適切な位置取りによって影響される。このような不適切位置取り疑いメッセージは、前述の更なる身体パラメータの測定装置による測定の信頼性を評価する際に、考慮に入れることができる。
【００２２】
この目的のために、データ取得・処理ユニットは、所定の整合性基準について測定期間における測定装置の測定結果を確認するようになっていてもよい。ある整合性基準について違反が検出された場合は、測定装置の測定を同様に破棄する。本例では、測定エラーの考えられる原因である不適切な位置取りのインジケーションが出力される。この結果、被測定者は、次回の測定期間の開始前に、台上での位置取りを確認し、必要であれば修正することができる。
【００２３】
以下、図面を参照して、本発明をより詳細に説明する。図面は以下の通りである。
【図面の簡単な説明】
【００２４】
【図１】図１は、体重計と、身長を測定するための測定装置とを備える複合測定デバイスの概略斜視図である。
【図２】図２は、体重計と、生体インピーダンス分析用の測定装置とを備える複合測定デバイスの概略斜視図である。
【図３】図３は、測定期間中の時間の関数としてのロードセルＷＺ１〜ＷＺ４の測定信号の概略的なグラフ（各グラフの縦及び横座標には任意の単位が設定されている）、及び体重計の総重量信号に対応する各ロードセルの測定信号の総和のグラフを示す。
【図４】図４は、別の測定処理における、図３と同様のグラフを示す。
【図５】図５は、更に別の測定処理における、図３及び図４と同様のグラフを示す。
【図６】図６は、更に他の測定処理における、図３〜図５と同様のグラフを示す。
【図７】図７は、本発明の実施形態に係る複合測定デバイスにおける、各測定の実行順序の制御のフローチャートを示す。
【発明を実施するための形態】
【００２５】
図３〜図６の各図における測定信号の総和のグラフは、Ｙ軸のスケールが、他の４つのロードセルのグラフのそれぞれと異なることに留意されたい。
【００２６】
以下では、最初に、図３〜図６の概略的なグラフを参照して、被測定者の動きがある場合とない場合におけるいくつかの測定処理を説明する。
【００２７】
図３は、更なる身体パラメータを測定するための測定装置が測定を行う測定期間における測定処理を示す。被測定者は、例えば図１に示す複合測定デバイスの体重計の台上の中央に静止した状態で立つ。被測定者が、このように体重計の台上の中央に静止した状態で立てば、４つのロードセルは、個体差が最小の場合、全て同一のロードセル信号を発する。ロードセルＷＺ１〜ＷＺ４のロードセル信号は、図示したように、測定期間において完全に一定ではなく、呼吸や心臓の鼓動、場合によってはその他の外的影響によって生じた小さな干渉が重なる。なお、図３の各グラフでは、この自然に生じる変動を説明のために強調して示している。図４〜図６のグラフも同様である。
【００２８】
４つのロードセルのそれぞれの測定信号は、アナログ・デジタル変換器によって変換され、その後、総重量に対応する各ロードセル信号の総和が求められる。測定期間の開始前又は測定期間の開始時において、体重計の総重量信号が分析され、保留基準が満たされると、直ぐに総重量測定結果が記憶される。これは、測定信号が、所定時間に渡って平均値付近の所定許容範囲内にある場合を指す。総重量測定結果の判定後、前述の更なる身体パラメータを測定する測定期間の間、この総重量測定結果と体重計の現在の総重量測定信号との差分の絶対値を監視する。この監視時に適用される基準は、図７を用いて後述する。
【００２９】
図３に示す測定処理では、４つのロードセル信号の総和として求められた体重計の総重量信号には、測定期間において、脈動や呼吸などの「自然」原因による僅かな変動しか見られない。この場合、総重量測定結果と体重計の測定信号との差分の絶対値は、測定期間におけるどの時点においても、第一閾値を超えず、勿論、第二閾値も超えない。したがって、動いた疑いや動きによるエラーのインジケータは設定されない。
【００３０】
そして、動いた疑いのインジケータや動きによるエラーのインジケータが設定されず、且つ、前述の更なる測定装置の測定信号の整合性基準を調べた際に、いずれの基準についても違反がない場合、総重量測定結果と、前述の更なる身体パラメータの測定装置による測定結果とが出力される。一方、いずれかの整合性基準について違反がある場合、総重量測定結果、及び前述の更なる身体パラメータの測定が誤測定であるインジケーションのみが出力されるが、その説明はない。これは、考えられる原因として動きを示すものがなかったからである。
【００３１】
図４は、被測定者が体重計の台に斜めに向いて立った状態での測定処理における、各ロードセルの測定信号を示しており、ロードセルＷＺ１（左前）及びＷＺ３（右後）に、他のロードセルよりも大きい重量の力がかかっている。体重計の測定信号として下側のグラフに示した各ロードセルの測定信号の総和が、僅かな変動を除いて一定であり、このため、動きによるエラーのインジケータは設定されていない。しかし、この場合、ロードセル間の測定信号の差分を確認し、このロードセル測定信号の差分の確認の結果として、差分の閾値を超えていると判定されれば、不適切位置取り疑いメッセージを生成することができる。この不適切位置取り疑いメッセージは、動き疑いメッセージと同様に、測定装置の測定信号の整合性チェックにおいて整合性基準について違反があると判断された場合に用いることができる。そして、この不適切位置取り疑いメッセージを用いて、測定装置の測定結果に誤りがあるというインジケーションのほかに、不適切な位置取りの疑いのインジケーションを出力して、被測定者にエラーの考えられる原因を示すことができる。
【００３２】
図５における各グラフの測定処理では、測定期間が半分ほど経過した後に、被測定者が突然一瞬だけ動いている。図５の下側における体重計の総重量信号のグラフは、第二閾値に対応する誤差範囲を図示している。図５の測定処理のように、体重計の総重量信号がこの誤差範囲から外れた場合、動きによるエラーのインジケータを設定する。この場合、測定装置の更なる測定が誤測定であるという出力を生成し、また、被測定者が次回の測定期間において動かないように集中できるように、被測定者の過剰な動きのインジケーションを出力する。
【００３３】
このような突然の動きは、例えば、前述の更なる身体パラメータの測定装置が生体インピーダンス測定デバイスであった場合、生体インピーダンス測定の乱れにつながる。従来技術でも、特定の状況下であれば、このように乱れた生体インピーダンス測定を、整合性チェックを介して検出することができる。しかし、生体インピーダンス測定が誤測定であったという出力を生成するだけであり、過剰な動きがエラーの原因であったことを被測定者に示すことはできない。
【００３４】
図６に、被測定者が突然の体重移動ではなく、緩やかな体重移動をする場合の測定処理における、各ロードセル及び体重計の総重量測定信号のグラフを示す。下側のグラフにおいて、体重計の総重量信号を構成する個々のロードセル信号の総和は、時間軸上において基本的に一定である。したがって、これに基づいた場合、動きに関して結論を導き出すことはできない。本発明によれば、更に、個々のロードセルの測定信号を監視して、測定期間中にロードセル重量測定結果（ここでも、測定時間の開始前又は開始時に、個々のロードセルに対して判定される）と、ロードセルの測定信号との差分の絶対値が所定の閾値を超えるかを、ロードセル毎に測定期間に渡って確認する。このようにすれば、被測定者が動いたことを示すエラーメッセージを生成することができる。このメッセージは、前述の更なる別の身体パラメータの測定装置の測定が誤測定であるというメッセージと共に表示される。これにより、被測定者は、エラーの原因を知らされることになり、次回の測定期間においてそれを避けることができる。
【００３５】
図７に、複合測定デバイスの実施形態に係るデータ取得・処理ユニットの動作を説明するフローチャートを示す。この例では、データ取得・処理ユニットが体重計の総重量信号を分析し、これに基づいて事前に総重量測定結果を判定した際（ブロック１０１）に、測定処理が開始する。この後、ブロック１０２において、測定装置の測定期間が開始する。本フローチャートでは、前述の更なる身体組成パラメータを測定する測定処理における各工程の更なる詳細は省略する。
【００３６】
測定期間の開始後、判断ブロック１０３において、総重量測定結果Ｇ0と体重計の現在の総重量信号Ｇ（ｔ）との差分の絶対値が第一閾値ε1よりも大きいかを確認する。そうでない場合は、判断ブロック１２０において、タイムアウトにより測定期間を終了させるかを確認する。そうでない場合は、測定期間の時間が経過するまで判断ブロック１０３における確認を繰り返す。その後、処理は、判断ブロック１２０から、ブロック１０８における測定期間の終了に移行する。
【００３７】
測定期間中に判断ブロック１０３において第一閾値を超えたと判定した場合、ブロック１０４において動いた疑いのインジケータを設定する。そして、判断ブロック１０５において、現在の測定信号Ｇ（ｔ）に対する総重量測定結果Ｇ0の偏差がより高い第二閾値ε2も超えているかを確認する。そうである場合は、ブロック１０６において動きによるエラーのインジケータを設定する。この結果、ブロック１０７において、測定装置の測定期間を終了させ、測定装置の測定が失敗したこと、及び被測定者の過剰な動きがエラーの原因であったことを示す表示を生成する。その後、実施形態によっては、ブロック１０２において、新たな測定期間が自動的に開始される。
【００３８】
判断ブロック１０５において第二閾値ε2が超えていない場合、処理は判断ブロック１２０に進み、測定期間の時間が既に経過したかを確認する。そうである場合は、処理はブロック１０８に進み、測定期間を終了させる。測定期間が未だ完了していない場合は、処理は再び判断ブロック１０５に入る。
【００３９】
判断ブロック１０９において、整合性基準について、測定装置が測定期間中に取得した信号を確認する。整合性基準が満たされていれば、ブロック１１２において測定装置の測定結果を出力する。この出力は、勿論、総重量測定結果の出力と共に生成することができる。
【００４０】
いずれかの整合性基準が満たされない場合、判断ブロック１１０において、動いた疑いのインジケータが設定されているかを確認する。そうでない場合は、ブロック１１３において、前述の更なる測定が誤測定であったという出力のみを生成し、これに対する考えられる原因についての出力は生成しない。
【００４１】
動いた疑いのインジケータが設定されている場合、ブロック１１１において、測定装置の誤測定のインジケーションに加えて、動いた疑いのインジケーションが出力される。
【図１】
2017086897.tif 000003
【図２】
2017086897.tif 000004
【図３】
2017086897.tif 000005
【図４】
2017086897.tif 000006
【図５】
2017086897.tif 000007
【図６】
2017086897.tif 000008
【図７】
2017086897.tif 000009